(57)【要約】【課題】  製造コストを削減でき、また、鍵盤の開閉作業を容易に行えるとともに、鍵盤蓋をコンパクトに収容することができる鍵盤楽器の鍵盤蓋装置を提供する。【解決手段】ピアノ本体２に設けられた鍵盤８を覆うための鍵盤楽器の鍵盤蓋装置１０であって、ピアノ本体２の鍵盤８よりも後ろ側の後部および前側の前部の一方に設けられたシート収容部１２と、シート収容部１２内に設けられた巻取りローラ１４と、ピアノ本体２の後部および前部の他方に設けられたホルダ１６と、巻取りローラ１４に巻かれ、巻取りローラ１４に巻き取られた状態でシート収容部１２に収容されるとともに、前後方向に繰り出された状態で鍵盤８を覆うシート１１と、このシート１１に設けられ、繰り出されたシート１１をホルダ１６を介して係止する係止部１１ａと、を備える。【選択図】  図１
2005338284.tif 000002
【特許請求の範囲】
【請求項１】
楽器本体に設けられた鍵盤を覆うための鍵盤楽器の鍵盤蓋装置であって、
前記楽器本体の前記鍵盤よりも後ろ側の後部および前側の前部の一方に設けられた収容部と、
当該収容部内に設けられたローラと、
前記楽器本体の前記後部および前記前部の他方に設けられたホルダと、
前記ローラに巻かれ、当該ローラに巻き取られた状態で前記収容部に収容されるとともに、前後方向に繰り出された状態で前記鍵盤を覆うシートと、
このシートに設けられ、前記繰り出されたシートを前記ホルダを介して係止する係止部と、
を備えることを特徴とする鍵盤楽器の鍵盤蓋装置。
【請求項２】
前記収容部は、前記楽器本体内に設けられていることを特徴とする、請求項１に記載の鍵盤楽器の鍵盤蓋装置。
【請求項３】
前記楽器本体の上面の前記鍵盤よりも後ろ側に譜面台が設けられており、
前記収容部は、前記譜面台に設けられていることを特徴とする、請求項１に記載の鍵盤楽器の鍵盤蓋装置。
【請求項４】
前記楽器本体の上面の前記鍵盤よりも後ろ側に係合凹部が形成され、
係合凸部を有する譜面台が、当該係合凸部が前記係合凹部に係合した状態で前記楽器本体に着脱自在に取り付けられ、
前記収容部は、係合凸部を有し、この係合凸部が前記係合凹部に係合した状態で前記楽器本体に着脱自在に取り付けられることを特徴とする、請求項１に記載の鍵盤楽器の鍵盤蓋装置。
【請求項５】
前記ローラに前記シートを巻き取る方向のトルクを付与するトルク付与機構をさらに備えることを特徴とする、請求項１ないし４のいずれかに記載の鍵盤楽器の鍵盤蓋装置。
【発明の詳細な説明】
【技術分野】
【０００１】
本発明は、鍵盤を覆うための鍵盤楽器の鍵盤蓋装置に関する。
【背景技術】
【０００２】
この種の鍵盤蓋装置は、鍵盤などにほこりが付着するのを防止するために、鍵盤楽器に一般的に設けられているものであり、例えば特許文献１に開示されている。この鍵盤蓋装置は、電子オルガンに適用されたものであり、各種のスイッチなどを有するコントロールパネルや鍵盤を覆うスライド蓋と、これを案内する左右一対のガイドを有している。このスライド蓋は、左右方向に延びる複数の板材を前後方向に連結し、すだれ状に構成されている。また、各ガイドは、腕木からその後ろ側の側板にわたり、それらの内側面に設けられており、腕木の部分では、腕木の上面に沿って斜めに延び、側板の部分では、下方に向かって曲線状に延びている。この鍵盤蓋装置では、スライド蓋を後方に押すと、スライド蓋は、ガイドに案内されながら後方にスライドし、コントロールパネルの内側に収容された状態で、ガイドの後端で支持され、開き状態になる。また、この状態から、スライド蓋を前方に引くと、スライド蓋は、上記と逆の動作で、ガイドに案内されながら、前方にスライドするとともに、鍵盤などを覆い、閉じ状態になる。
【０００３】
しかし、この従来の鍵盤蓋装置では、スライド蓋は、複数の板材で構成されるとともに、これらの複数の板材をすだれ状に連結することによって形成する必要があるので、製造コストが高くなる。また、ガイドは、腕木および側板の内面に設ける必要があるとともに、その形状も、スライド蓋を案内し、コンパクトに収容するために、上述したように複雑にならざるを得ず、ガイドの製造コストも高くなる。以上の結果、鍵盤蓋装置の製造コストが高くなってしまう。
【０００４】
また、他の鍵盤蓋装置として、鍵盤などを布製のダストカバーで単純に覆うものも知られている。このようなダストカバーは、比較的安価な鍵盤楽器に用いられている。しかし、このダストカバーは、鍵盤などを完全に覆えるように、サイズが比較的大きく、そのような大きなダストカバーを、鍵盤楽器の使用前に鍵盤から取り外し、使用後に再度、鍵盤を覆うように取り付けなければならず、その取り付け、取り外し作業が煩雑である。しかも、鍵盤楽器の使用時に、取り外したダストカバーの置き場所を確保しなければならないという問題もある。
【０００５】
本発明は、以上のような課題を解決するためになされたものであり、製造コストを削減でき、また、鍵盤の開閉作業を容易に行えるとともに、鍵盤蓋をコンパクトに収容することができる鍵盤楽器の鍵盤蓋装置を提供することを目的とする。
【０００６】
【特許文献１】実開昭５９−１１９４９５号公報
【発明の開示】
【課題を解決するための手段】
【０００７】
上記の目的を達成するため、請求項１に係る発明は、楽器本体に設けられた鍵盤を覆うための鍵盤楽器の鍵盤蓋装置であって、楽器本体の鍵盤よりも後ろ側の後部および前側の前部の一方に設けられた収容部と、収容部内に設けられたローラと、楽器本体の後部および前部の他方に設けられたホルダと、ローラに巻かれ、ローラに巻き取られた状態で収容部に収容されるとともに、前後方向に繰り出された状態で鍵盤を覆うシートと、このシートに設けられ、繰り出されたシートをホルダを介して係止する係止部と、を備えることを特徴とする。
【０００８】
この鍵盤蓋装置によれば、鍵盤を覆うための鍵盤蓋として、シートを用いるので、従来の鍵盤蓋装置と異なり、複数の板材を連結してスライド蓋を構成したり、これを案内する左右のガイドを形成したりする必要がなく、その結果、従来の鍵盤蓋装置に比べて、製造コストを削減できるとともに、鍵盤のサイズやレイアウトなどに容易に対応できるなど、自由度を高めることができる。また、鍵盤の開放時には、シートを収容部内のローラに巻き取ることにより、収容部内にコンパクトに収容することができる。加えて、鍵盤の閉鎖時には、シートを収容部から前後方向に繰り出し、係止部を介してホルダに係止することにより、このシートによって、鍵盤を容易に覆うことができる。したがって、ダストカバーを用いた従来の鍵盤蓋装置と異なり、鍵盤楽器の使用の前後で、鍵盤からの取り外しおよび取り付け作業を行う必要がなく、鍵盤の開閉作業を容易に行うことができる。
【０００９】
請求項２に係る発明は、請求項１に記載の鍵盤楽器の鍵盤蓋装置において、収容部は、楽器本体内に設けられていることを特徴とする。
【００１０】
この構成によれば、収容部内に巻き取られた状態のシートは、楽器本体内に収容されるので、演奏時など、鍵盤楽器の使用時に、シートが外部からほとんど見えることがなく、鍵盤楽器の外観を良好に維持することができる。
【００１１】
請求項３に係る発明は、請求項１に記載の鍵盤楽器の鍵盤蓋装置において、楽器本体の上面の鍵盤よりも後ろ側には譜面台が設けられており、収容部は、譜面台に設けられていることを特徴とする。
【００１２】
この構成によれば、シートを収容する収容部が、楽器本体上の譜面台に設けられるので、楽器本体の内部に新たに収容部を設けたり、これに伴う大幅な設計変更を行ったりすることなく、鍵盤蓋としてのシートを容易に設置することができる。
【００１３】
請求項４に係る発明は、請求項１に記載の鍵盤楽器の鍵盤蓋装置において、楽器本体の上面の鍵盤よりも後ろ側に係合凹部が形成され、係合凸部を有する譜面台が、係合凸部が係合凹部に係合した状態で楽器本体に着脱自在に取り付けられ、収容部は、係合凸部を有し、この係合凸部が係合凹部に係合した状態で楽器本体に着脱自在に取り付けられることを特徴とする。
【００１４】
この構成によれば、係合凸部を有する譜面台は、その係合凸部が楽器本体上にあらかじめ形成された係合凹部に係合することによって、楽器本体に取り付けられる。鍵盤楽器の使用後、譜面台を楽器本体から取り外し、収容部の係合凸部を楽器本体の係合凹部に係合させることによって、収容部が楽器本体に取り付けられる。このように、楽器本体上の係合凹部を、譜面台と収容部の取り付けに共用できるので、鍵盤楽器の使用時および使用後など、必要に応じて、楽器本体に譜面台あるいは収容部を容易に取り付けることができる。加えて、係合凹部を有する既存の楽器本体に、収容部を容易に後付けすることができる。
【００１５】
請求項５に係る発明は、請求項１ないし４のいずれかに記載の鍵盤楽器の鍵盤蓋装置において、ローラにシートを巻き取る方向のトルクを付与するトルク付与機構をさらに備えることを特徴とする。
【００１６】
この構成によれば、トルク付与機構によって、ローラにシートを巻き取る方向のトルクが付与されるので、ホルダによるシートの係止を解除するだけで、シートをローラに自動的に巻き取ることができ、したがって、鍵盤の開放作業を容易に行うことができる。
【発明を実施するための最良の形態】
【００１７】
以下、図面を参照しながら、本発明の好ましい実施形態を詳細に説明する。図１は、本発明の第１実施形態による鍵盤蓋装置を適用した電子ピアノを示している。同図に示すように、この電子ピアノ１（鍵盤楽器）は、ピアノ本体２（楽器本体）と、これを下方から支持するスタンド３で構成されている。
【００１８】
ピアノ本体２は、左右の腕木４、４、これらの腕木４、４の上端部間および下端部間にそれぞれ渡された天板５および棚板（図示せず）、ならびに棚板の前面を覆う口棒６などからなるケース７を有している。このケース７の前半部には、複数の白鍵８ａおよび黒鍵８ｂを有する鍵盤８が収容されるとともに、鍵盤８の後部上方に、各種のスイッチ９ａやディスプレイ９ｂなどを有するコントロールパネル９が配置されている。
【００１９】
また、このピアノ本体２には、鍵盤８を含め、ピアノ本体２の上面および前面を覆うための鍵盤蓋装置１０が設けられている。この鍵盤蓋装置１０は、図１および２に示すように、鍵盤８を覆うためのシート１１と、ケース７内の後ろ側（図２では右側）の上隅部に、左右の腕木４、４間の全体に渡るように設けられたシート収容部１２（収容部）と、シート１１を、シート収容部１２内に収容するように巻き取るシート巻取り機１３などを備えている。
【００２０】
シート１１は、布製、プラスチック製、またはそれらを複合した素材製の矩形状のシートからなり、ケース７の左右の腕木４、４間の距離とほぼ同じ横寸法を有するとともに、展開した状態において、ピアノ本体２の上面および前面を覆うことが可能な縦寸法を有している。また、このシート１１は、後ろ側の縁部が、シート巻取り機１３の後述する巻取りローラ１４に固定されるとともに、裏面の先端側の縁部に、左右方向に連続しかつシート１１の横寸法とほぼ同じ長さを有する細長い鉄板１１ａ（係止部）が設けられている。
【００２１】
シート巻取り機１３は、シート収容部１２内に、これに沿って左右方向に延びるとともに回転自在に設けられた巻取りローラ１４（ローラ）と、この巻取りローラ１４にシート１１を巻き取る方向（図２の時計方向）のトルクを付与したり、そのトルク付与を停止したりすることによって、巻取りローラ１４の回転を制御する巻取り制御機構１５（トルク付与機構）などで構成されている。つまり、このようなシート巻取り機１３および上記シート１１を備えた鍵盤蓋装置１０は、いわゆるロールスクリーンと同様に構成されている。
【００２２】
以上のように構成された鍵盤蓋装置１０において、シート１１がシート巻取り機１３で巻き取られた状態では、シート１１は、図２（ａ）に示すように、巻取りローラ１４を中心として、シート収容部１２内にロール状に収容される。加えてこの場合、シート１１の先端部は、天板５の後端部に左右方向に連続しかつ上方に開口したシート繰出し口５ａを介して、外部に臨んでいる。一方、図１（ｂ）および図２（ｂ）に示すように、シート１１がピアノ本体２の上面および前面を覆うように繰り出された状態では、口棒６の下面、あるいは棚板の下面前端部に取り付けられた磁石１６（ホルダ）に、シート１１の先端部の鉄板１１ａが吸引されることにより、シート１１が係止される。
【００２３】
次に、鍵盤蓋装置１０による鍵盤８の開閉操作について簡単に説明する。まず、シート１１によって、鍵盤８を覆うようにこれを閉鎖する場合には、図１（ａ）および図２（ａ）に示す状態、すなわち、シート１１がシート収容部１２にロール状に収容された状態から、シート１１の先端部を掴み、シート１１を前方へ大きく繰り出す。そして、シート１１の先端部の鉄板１１ａを、磁石１６に吸引させる。これにより、図１（ｂ）および図２（ｂ）に示すように、シート１１は、鍵盤８を含め、ピアノ本体２の上面および前面を覆った状態で係止される。一方、この状態から、鍵盤８を開放する場合には、シート１１の鉄板１１ａを磁石１６から外し、シート１１を若干繰り出す。そうすると、シート１１は、シート巻取り機１３で自動的に巻き取られ、シート収容部１２内にロール状に収容される。
【００２４】
以上詳述したように、本実施形態によれば、鍵盤８を覆うための鍵盤蓋として、シート１１を用いるので、複数の板材を連結して構成されるスライド蓋を有する従来の鍵盤蓋装置に比べて、製造コストを削減できるとともに、鍵盤８のサイズやレイアウトなどに容易に対応できるなど、自由度を高めることができる。また、鍵盤８の開放時には、シート１１をシート収容部１２内にコンパクトに収容できる一方、鍵盤８の閉鎖時には、シート１１をシート収容部１２から繰り出し、先端部の鉄板１１ａを磁石１６に吸引させることによって、鍵盤８をシート１１で容易に覆うことができる。したがって、ダストカバーを用いた従来の鍵盤蓋装置と異なり、電子ピアノ１の使用の前後で、鍵盤８からの取り外しおよび取り付け作業を行う必要がなく、シート１１による鍵盤８の開閉操作を容易に行うことができる。
【００２５】
また、シート収容部１２内のシート１１は、ピアノ本体２内に収容されるので、演奏時など、電子ピアノ１の使用時に、シート１１が外部からほとんど見えることがなく、電子ピアノ１の外観を良好に維持することができる。
【００２６】
なお、本実施形態では、シート収容部１２を、ケース７内の後ろ側の上隅部に設けたが、本発明はこれに限定されるものではなく、シート１１をシート収容部１２から繰り出したときに、鍵盤８およびコントロールパネル９を覆うことができればよいので、シート収容部１２を、例えばケース７内の天板５の前端寄りの位置に設けるようにしてもよい。
【００２７】
次に、図３および４を参照しながら、本発明の第２実施形態による鍵盤蓋装置について説明する。なお、以下の説明では、上述した第１実施形態と同様の構成部品については、同一の符号を付して、その詳細な説明を省略する。
【００２８】
図３および４に示すように、本実施形態の鍵盤蓋装置２０は、ピアノ本体２の天板５上に取り付けられた譜面台２１と一体に構成されたタイプのものである。譜面台２１は、正面形状が横長矩形状に形成されるとともに、天板５よりも短い左右方向の寸法を有しており、この譜面台２１の前側の下端部に、シート収容ボックス２２（収容部）が設けられている。
【００２９】
このシート収容ボックス２２は、天板５とほぼ同じ左右方向の寸法を有する横長ボックス状に形成されており、前壁２２ａの下端部に、左右方向に連続しかつ前方に開口したシート繰出し口２２ｂが設けられている。また、シート収容ボックス２２内には、上記第１実施形態と同様に、巻取りローラ１４および巻取り制御機構１５などで構成されたシート巻取り機１３が設けられている。そして、このシート巻取り機１３によって、シート１１がシート収容ボックス２２内にロール状に収容される。
【００３０】
以上のように構成された鍵盤蓋装置２０では、上記第１実施形態と同様に、シート収容ボックス２２のシート繰出し口２２ｂを介して、シート１１を前方へ繰り出し、先端部の鉄板１１ａを磁石１６に吸引させることにより、図３（ｂ）および図４（ｂ）に示すように、鍵盤８を含め、ピアノ本体２の上面前半部および前面が、シート１１で覆われる。一方、この状態から、シート１１の鉄板１１ａを磁石１６から外し、シート１１を若干繰り出すことにより、シート１１が、シート巻取り機１３で自動的に巻き取られ、シート収容ボックス２２内にロール状に収容される。
【００３１】
以上のように、本実施形態によれば、第１実施形態と同様に、スライド蓋を有する従来の鍵盤蓋装置に比べて、製造コストを削減できるとともに、自由度を高めることができ、鍵盤８の開閉操作も容易に行うことができる。また、鍵盤蓋装置２０のシート収容ボックス２２が、ピアノ本体２の天板５上に取り付けられるので、第１実施形態と異なるピアノ本体、すなわちシート収容部１２を内部に有しないピアノ本体に対し、その内部に新たにシート収容部を設けたり、これに伴う大幅な設計変更を行ったりすることなく、鍵盤蓋としてのシート１１を容易に設置することができる。
【００３２】
なお、本実施形態では、シート収容ボックス２２を譜面台２１の下端部に設けたが、本発明はこれに限定されるものではなく、シート収容ボックス２２を譜面台２１の他の位置、例えば譜面台２１の上端部に設けるようにしてもよい。この場合には、譜面台２１の左右方向の寸法を、シート収容ボックス２２とほぼ同じにするように、譜面台２１を構成するのが好ましく、それにより、鍵盤蓋装置２０と譜面台２１との一体感を高めることができる。なお、シート収容ボックス２２を譜面台２１の下端部に設ける場合も、その譜面台２１の左右方向の寸法を、シート収容ボックス２２とほぼ同じにしてもよい。
【００３３】
また、本実施形態では、鍵盤蓋装置２０を譜面台２１と一体に構成したが、譜面台２１と別体に構成してもよく、その場合には、シート収容ボックス２２を、天板５上の譜面台２１の前方あるいは後方に配置する。
【００３４】
次に、図５〜７を参照しながら、本発明の第３実施形態による鍵盤蓋装置について説明する。なお、本実施形態の以下の説明においても、前述した第１および第２実施形態と同様の構成部品については、同一の符号を付して、その詳細な説明を省略する。
【００３５】
図５および６に示すように、本実施形態の鍵盤蓋装置３０は、ピアノ本体２の天板５上に着脱自在に取り付けられた譜面台２１を備えた既存の電子ピアノ１において、譜面台２１に代えて、天板５上に装着可能なタイプのものである。この電子ピアノ１の天板５には、図５（ｂ）に示すように、互いに左右方向に間隔を隔てて、譜面台２１を取り付けるための２つの取付け凹部５ｂ、５ｂ（係合凹部）が設けられている。一方、譜面台２１の底面には、天板５の上記２つの取付け凹部５ｂ、５ｂに対応する所定位置に、これらの取付け凹部５ｂに嵌合可能な２つの取付け凸部２１ａ、２１ａ（係合凸部）が突設されている。したがって、電子ピアノ１において、譜面台２１を使用する場合には、譜面台２１の２つの取付け凸部２１ａ、２１ａをそれぞれ、天板５の取付け凹部５ｂ、５ｂに挿入し、嵌合させることによって、譜面台２１を天板５上に取り付ける。
【００３６】
このような譜面台２１に代えて天板５上に装着可能な鍵盤蓋装置３０は、図６に示すように、上記第２実施形態の鍵盤蓋装置２０から譜面台２１を省略したのとほぼ同じに構成されたシート収容ボックス２２を有している。このシート収容ボックス２２は、上記第２実施形態のそれと同様に、横長ボックス状に形成され、前壁２２ａの下端部に、シート繰出し口２２ｂが設けられている。また、シート収容ボックス２２内には、巻取りローラ１４および巻取り制御機構１５などで構成されたシート巻取り機１３が設けられるとともに、このシート巻取り機１３によって、シート１１がロール状に収容される。さらに、シート収容ボックス２２の下面には、上記譜面台２１の取付け凸部２１ａ、２１ａと同様に構成された２つの取付け凸部２２ｃ、２２ｃ（係合凸部）が突設されている。
【００３７】
電子ピアノ１において、鍵盤蓋装置３０を使用する場合には、譜面台２１を天板５から取り外した後、シート収容ボックス２２の２つの取付け凸部２２ｃ、２２ｃをそれぞれ、天板５の取付け凹部５ｂ、５ｂに挿入し、嵌合させることによって、シート収容ボックス２２を天板５上に取り付ける。その後の鍵盤８の閉鎖操作は、上記第２実施形態と同様であり、図６（ｃ）および図７（ｂ）に示すように、鍵盤８を含め、ピアノ本体２の上面前半部および前面が、シート１１によって覆われる。なお、この状態から、譜面台２１を使用する場合には、上記第２実施形態と同様に、シート１１をシート収容ボックス２２内に収容させた後、シート収容ボックス２２を天板５から取り外し、譜面台２１を天板５上に取り付ける。
【００３８】
以上のように、本実施形態によれば、上述した第２実施形態と同様の効果を得ることができる。また、天板５に形成された取付け凹部５ｂ、５ｂを、譜面台２１とシート収容ボックス２２の取り付けに共用できるので、電子ピアノ１の使用時および使用後など、必要に応じて、ピアノ本体２に譜面台２１あるいはシート収容ボックス２２を容易に取り付けることができる。加えて、取付け凹部５ｂ、５ｂを有する既存のピアノ本体２に、シート収容ボックス２２を容易に後付けすることができる。すなわち、既存のピアノ本体２に対し、鍵盤蓋装置３０を容易に後付けすることができる。
【００３９】
なお、本発明は、説明した上記第１〜３実施形態に限定されることなく、種々の態様で実施することができる。例えば、上記各実施形態では、シート収容部１２およびシート収容ボックス２２をいずれも、鍵盤８の後方に設けたが、本発明はこれに限定されるものではなく、シート収容部１２を口棒６の内部に設けたり、シート収容ボックス２２を口棒６の下面や棚板の下面前端部に設けたりしてもよい。これらの場合には、シート収容部１２やシート収容ボックス２２から、シート１１を鍵盤８の後方へ繰り出し、天板５の上面や背面に設けた磁石に、シート１１の先端部の鉄板１１ａを吸引させることによって、鍵盤８などがシート１１で覆われる。
【００４０】
また、シート１１の先端部の鉄板１１ａは、シート１１の裏面に直接取り付けられる他、シート１１の先端部を袋状に構成し、その内部に収容するようにしてもよい。この場合には、鉄板１１ａを外部から常に見えないようにできるため、シート１１の外観を向上させることができる。
【００４１】
さらに、実施形態では、シート１１を、鍵盤８を覆った状態に係止するために、鉄板１１ａおよび磁石１６を用いたが、本発明はこれに限定されるものではなく、シート１１の先端部が、口棒６の下面や棚板の下面前端部に係止可能であればよく、鉄板１１ａおよび磁石１６に代えて、一方が他方に係止されるような種々の係止構造を採用することができる。また、各実施形態で示した鍵盤蓋装置１０、２０、３０の細部の構成などは、あくまで例示であり、本発明の趣旨の範囲内で適宜、変更することができる。
【図面の簡単な説明】
【００４２】
【図１】本発明の第１実施形態による鍵盤蓋装置を適用した電子ピアノを示す斜視図であり、（ａ）は鍵盤を開放した状態、（ｂ）はシートで鍵盤を覆った状態を示す。
【図２】（ａ）および（ｂ）は、図１（ａ）および（ｂ）にそれぞれ対応し、シートを中心に示すピアノ本体の側断面図である。
【図３】本発明の第２実施形態による鍵盤蓋装置を適用した電子ピアノを示す斜視図であり、（ａ）は鍵盤を開放した状態、（ｂ）はシートで鍵盤を覆った状態を示す。
【図４】（ａ）および（ｂ）は、図３（ａ）および（ｂ）にそれぞれ対応し、シートを中心に示すピアノ本体の側断面図である。
【図５】本発明の第３実施形態を説明するための既存の電子ピアノを示す斜視図であり、（ａ）は譜面台がピアノ本体に取り付けられた状態、（ｂ）は、譜面台がピアノ本体から取り外された状態を示す。
【図６】図５の電子ピアノに、譜面台に代えて、シート収容ボックスが取り付けられたピアノ本体を示す斜視図であり、（ａ）はシート収容ボックスを取り付ける前の状態、（ｂ）はシート収容ボックスを取り付けた状態、（ｃ）はシート収容ボックスから繰り出されたシートで鍵盤を覆った状態を示す。
【図７】（ａ）および（ｂ）は、図６（ｂ）および（ｃ）にそれぞれ対応し、シートを中心に示すピアノ本体の側断面図である。
【符号の説明】
【００４３】
１    電子ピアノ（鍵盤楽器）
２    ピアノ本体（楽器本体）
５    天板
５ａ  シート繰出し口
５ｂ  取付け凹部（係合凹部）
６    口棒
８    鍵盤
１０、２０、３０    鍵盤蓋装置
１１    シート
１１ａ  鉄板（係止部）
１２    シート収容部（収容部）
１３    シート巻取り機
１４    巻取りローラ（ローラ）
１５    巻取り制御機構（トルク付与機構）
１６    磁石（ホルダ）
２１    譜面台
２１ａ  取付け凸部（係合凸部）
２２    シート収容ボックス（収容部）
２２ｃ  取付け凸部（係合凸部）
【図１】
2005338284.tif 000003
【図２】
2005338284.tif 000004
【図３】
2005338284.tif 000005
【図４】
2005338284.tif 000006
【図５】
2005338284.tif 000007
【図６】
2005338284.tif 000008
【図７】
2005338284.tif 000009